(57)【要約】      （修正有）【課題】ダウンロードし、ローカル記憶装置に記憶したボーナスコンテンツによって、光学ディスクのような交換可能な記憶媒体のマルチメディアコンテンツを拡張する。ディスク上のコンテンツとダウンロードしたコンテンツに関する異なるメニューアイテムを統合する。【解決手段】ボーナスコンテンツをメニューに組み込む方法は、メニュー内に１つ又は複数のプレースホルダを定義するステップ、ボーナスコンテンツの格納場所又はネーミング規約を決めるステップ、各プレースホルダについて、特定のタイプのボーナスコンテンツへの一意な関連付けを提供する属性を表すステップ、ボタンイメージを供給するステップ、ボーナスコンテンツデータの存在を検出するステップ、関連付けられたプレースホルダを関連付けられたボタンイメージで置き換えるステップ、及び、前記ボタンが選択されたときに関連付けられた動作が行われるようにするステップを有する。【選択図】なし【特許請求の範囲】
【請求項１】
オーディオビジュアルデータの第１の部分とメニューデータの第１の部分を、交換可能なプリレコードされた媒体である第１の記憶媒体から取り出し、オーディオビジュアルデータの第２の部分とメニューデータの第２の部分を前記第１の記憶媒体とは異なる第２のデータソースから取得し、メニューデータの前記第２の部分は少なくとも１つの関連付けられた属性を有する、オーディオビジュアルデータの再生を選択するための電子オーディオビジュアルメニューを構成する方法であって、該方法は、
メニューデータの前記第１の部分から初期メニューを生成するステップであって、前記初期メニューは１つ又は複数の可視の選択可能なボタンと少なくとも１つの選択することのできない不可視のプレースホルダとを含み、該プレースホルダは少なくとも１つの関連付けられた属性を有している、該ステップと、
メニューデータの前記第２の部分に関連付けられた前記属性を抽出するステップと、
抽出した前記属性を前記プレースホルダに関連付けられた前記属性と比較するステップと、
前記比較に基づいて、両方の属性がマッチした場合には、前記プレースホルダをメニューデータの前記第２の部分により定義された可視かつ選択可能なボタンで置き換えるステップと、
を有する、前記方法。
【発明の詳細な説明】
【技術分野】
【０００１】
本発明は電子オーディオビジュアルメニューを構成する方法及び装置に関する。
【背景技術】
【０００２】
今日では、通常は光学ディスクである交換可能なプリレコードされた記憶媒体から取り出されたマルチメディアコンテンツを再生するための装置は、特定の交換可能な記憶媒体に属する追加コンテンツを記憶する能力を提供する。ハードディスクドライブ（ＨＤＤ）を内蔵したＤＶＤプレーヤーがその一例である。追加コンテンツは、顧客がプリレコードされたディスクを入手した後でも、コンテンツの更新のために、インターネットからダウンロードする又は別の交換可能な記憶媒体から取り出すことができる。このような追加コンテンツの例は、ボーナストラック、特定の言語でのサブタイトル、広告トレイラーの更新、又は映画に関連したゲームである。このような機能は比較的費用のかかる完全にプログラム可能な装置プラットフォーム、例えば、Ｊａｖａ（登録商標）２  ＭｉｃｒｏＥｄｉｔｉｏｎ（Ｊ２ＭＥ）のような一連のＪａｖａＴＭプログラムを通常は必要とする。
【０００３】
このような完全にプログラム可能な環境を含んだ再生システムは、追加コンテンツアイテムを検出し、それらをＪａｖａＴＭプログラムによってユーザインタフェースに視覚化することができる。ここで、ＪａｖａＴＭプログラムはディスク作成時に事前作成することも又はボーナスコンテンツアイテムとともにダウンロードすることも可能である。今日のマルチメディアストレージシステムは、マルチメディアコンテンツの一部として、主にオーディオ、ビデオ、静止画像、グラフィカル情報及び制御情報を考慮に入れている。一般に、記憶媒体はスクリーン上でユーザに提示されるメニューも含んでおり、このメニューは静止画像、オーディオ、および、場合によってはビデオ情報を含んだグラフィカルレイアウトから構成されている。このようなメニューはボタン又は「ホットスポット」を有しており、ユーザはリモコンユニットを介してホットスポットを巡り、選択することができる。メニューボタンが押されたときに行われるべき動作は前記制御情報の一部であってもよい。現在のＤＶＤプレーヤー装置においては、上で述べた機能は装置のファームウェアにより実現されており、コンテンツ作者又は装置ユーザのいずれも制御情報を追加コンテンツに適合させることができない。
【０００４】
通常は、プレゼンテーションの全体に追加される追加コンテンツの存在とその性質は、プリレコードされた記憶媒体が作成された時点には知られていない。後に、追加コンテンツアイテムは再生可能となり、ユーザがメニューによって巡回できるようでなければならない。これらの追加コンテンツアイテムをメニューでユーザに提示するために、公知の解決手段は追加コンテンツと追加コンテンツアイテムを含んだ完全メニューの両方をダウンロードすることに基づいている。
【０００５】
さらに、ＰＣソフトウェア用のメニューは、関連するコンテンツアイテムが使用可能になるとすぐにアクティブとなる、可視（ビジブル）ではあるが非アクティブのボタン、いわゆる「グレーアウトした」ボタンを使用することが多い。この場合、それぞれのボタンの外見と位置は予め決められている。
【発明の概要】
【０００６】
オーディオビジュアルコンテンツのための交換可能なプリレコードされた記憶媒体を作成するとき、この記憶媒体のメニューはボーナスコンテンツの再生を実際にトリガするボタンを最初からは含んでいない。というのも、ボーナスコンテンツはそれ自体ではディスクコンテンツの一部ではないからである。また、どのような種類のボーナスコンテンツが後に入手可能になるかは、ディスク作成時には知られてさえもいない。しかしながら、上述したようなタイプのメニューを更新するための簡単で、したがって安価な方法が望まれている。
【０００７】
本発明が解決しようとする課題は、交換可能な記憶媒体のマルチメディアコンテンツが他のソースからの関連するマルチメディアコンテンツによって拡張される場合に、記憶媒体に関連したメニューを適合させるための単純化された方法を提供することである。
【０００８】
このような方法は請求項１に開示されている。本発明によるメニューデータを収容する記憶媒体は請求項９に開示されている。この方法を利用した、対応する再生装置は請求項１０に開示されている。
【０００９】
本発明によれば、オーディオビジュアルデータの第１の部分とメニューデータの第１の部分を、交換可能なプリレコードされた媒体である第１の記憶媒体から取り出し、オーディオビジュアルデータの第２の部分とメニューデータの第２の部分を前記第１の記憶媒体とは異なる第２のデータソースから取得し、メニューデータの前記第２の部分は少なくとも１つの関連付けられた属性を有する、オーディオビジュアルデータの再生を選択するための電子オーディオビジュアルメニューを構成する方法であって、メニューデータの第１の部分から生成されたメニューは、１つ又は複数の選択可能な可視のボタンと少なくとも１つの選択することのできない不可視のプレースホルダとを含み、プレースホルダは少なくとも１つの関連付けられた属性を有している。さらに、この方法は、メニューデータの前記第２の部分が使用可能であるか否かを検出し、メニューデータの前記第２の部分に関連付けられた前記属性を抽出し、抽出した前記属性をプレースホルダに関連付けられた前記属性と比較する。最後に、前記比較に基づいて、両方の属性がマッチした場合には、プレースホルダをメニューデータの第２の部分により定義された選択可能な可視のボタンで置き換える。
【００１０】
メニューボタンはコンテンツ選択の選択肢をユーザに提示するために使用することができる。後に追加されるボーナスコンテンツアイテムに関する特定の位置又はネーミングの規約が作成されることにより、特定のボーナスコンテンツアイテムとプレースホルダのうちの１つとの間に一意の対応関係を形成することができる。その際、このような対応関係はプレースホルダの属性として表される。これにより、ダウンロードしたボーナスコンテンツを簡単にメニューに組み込むことが可能となる。
【００１１】
ボーナスコンテンツと一緒にダウンロードすることができ、かつダウンロードしたボーナスコンテンツをグラフィカルに表示するボタンイメージを提供するために、本発明による方法は関連するどのボーナスコンテンツの存在又は不在も自動的に識別し、存在する場合には、どのプレースホルダが適切であるかを決定し、適切なプレースホルダを関連付けられたボタンイメージで表されたボタンで置き換え、前記ボタンがユーザにより選択され押されたときに関連付けられた動作が行われるようにする。
【００１２】
このようなボタンに関連付けられた動作は、プレースホルダと一緒に既に記述されていてもよい。例えば、プレースホルダの記述が「ＰｌａｙＬｉｓｔ  ＢｏｎｕｓＡを再生せよ」という命令を含むようにしてよい。ここで、「ＢｏｎｕｓＡ」は媒体上に初期的には存在していないプレイリストである。また、ダウンロードされるボーナスコンテンツアイテムの一部として上記の動作を記述し、ダウンロードしたイメージとともにメニューボタンに関連づけられるようにしてもよい。
【００１３】
したがって、ユーザの観点からは、要求された全機能が、すなわち、ダウンロード可能なコンテンツをメニュー内に提示する能力が、例えばＤＶＤのような交換可能な媒体のプリレコードされたマルチメディアコンテンツに追加的に提供される。この機能は、コンテンツとメニュー関連データの実際のダウンロードを実行すること、ダウンロードしたコンテンツを管理すること、ならびに、ダウンロードしたコンテンツの存在を前記交換媒体のユーザに対して可視（ビジブル）にすることを含んでいる。
【００１４】
本発明による方法を取り入れた再生装置は、オーディオビジュアル表示データと、オーディオビジュアル表示の一部を選択するためのボタンを備えた関連するオーディオビジュアルメニューとを生成する装置であり、オーディオビジュアルデータの第１の部分とメニューデータの第１の部分を交換可能な記憶媒体から取り出す手段、オーディオビジュアルデータの第２の部分とメニューデータの第２の部分を第２のデータソースから取り出す手段、メニューデータの第１の部分がプレースホルダに関するデータ又はプレースホルダを指定する第１の属性を含んでいるか否かを検出する手段、メニューデータの第２の部分がプレースホルダに関するデータを含んでいるか否かを検出する手段、置き換えられるべきプレースホルダを指定する第２の属性をメニューデータの第２の部分から抽出する手段、第１の属性を置き換えられるべきプレースホルダを指定する第２の属性と比較する手段、ならびに、前記比較に基づいてメニューボタンの機能及び可視的（ビジブルな）表示に関するデータを生成する手段を有している。
【００１５】
有利なことに、本発明による方法を使用するには、ＰＣのような完全にプログラム可能な装置プラットフォームは必要ない。より具体的には、コンテンツ作者によってプログラム可能というのではなく、装置メーカによって事前にプログラムされた、本願が提案する非常にシンプルで安価なプラットフォームで十分である。
【００１６】
さらに、本発明による方法は、メニュー更新のための公知の方法に比べて、例えば、メニュー全体を、場合によっては大きな静止画像で構成され得る新しいメニューで置き換えるメカニズムに比べて、より少ないダウンロード帯域幅しか消費しない。
【００１７】
本発明による方法の別の利点は、ある１つのディスクに対して複数のオプショナルなダウンロードが存在し、実際にはそのうちのいくつかしかプレーヤーにダウンロードされない場合に、どのメニューを選択すべきかに関して混乱が存在しないということである。ダウンロードされたメニューが複数ある場合には、元のメニューの代わりに、ダウンロードしたメニューのうちのどれを使用すべきかが問題となるが、追加コンテンツアイテムが複数あるときでさえ、１つの完全な正しいメニューを生成することができる。
【００１８】
本発明のさらなる利点は、コンテンツ作者にとって、普遍性のある手法であるがゆえに、事前にボタン配置の為されるメニューの方が扱い易く、したがってまた、ダウンロードに対する制約、管理及びプレゼンテーションプロセスが比較的強いゆえにフレキシビリティが低いということである。このことが、例えば、媒体上のメニューデータの作成をより容易にする。そのうえ、コンテンツ提供者又は作者は、ディスクが作成される時点において既に、首尾一貫してメニューの全体的な外見をデザインすることもできる。したがって、ボタンのグラフィカルな表示、すなわち「ボタンイメージ」は、実際のボーナスコンテンツが作成される前には知られていないものの、メニューは完全であるように見える。このことが作者に新たな外見上の可能性と自由を与える。例えば、首尾一貫したメニューデザイン、ボタンが存在する前にボタンを配置すること、及び、任意の時点にボーナスコンテンツアイテムのボタンイメージを実際のボーナスコンテンツアイテムに適合させることが可能になる。
【００１９】
本発明の有利な実施形態は、従属請求項、以下の説明、及び図面に開示されている。
【００２０】
添付した図面を参照して、本発明の実施例を説明する。
【図面の簡単な説明】
【００２１】
【図１】プリレコードされた光学ディスクのファイルシステム構造の例を示す。
【図２】ダウンロードしたボーナスコンテンツ用の別個のブランチを有するファイルシステム構造を示す。
【図３】追加コンテンツと関連付けられたメニューボタンのためのサブフォルダの構造を示す。
【図４】ボーナスコンテンツを含んだ第１のダウンロードサブフォルダに関連づけられたボーナスボタンの選択とアクティブ化を示す。
【図５】ボーナスコンテンツを含んだ別のダウンロードサブフォルダに関連付けられたボーナスボタンの選択とアクティブ化を示す。
【図６】両方ともボーナスコンテンツを含んだ２つの異なるダンロードサブフォルダに関連付けられた２つのボーナスボタンの選択とアクティブ化を示す。
【図７】アクティブ化されたボーナスボタンによる元のメニューボタンの置き換えを示す。
【図８】一方は事前作成された隠れたボーナスボタンであり、他方は使用不能かつ不可視（インビジブル）となった元のメニューボタンである、ボーナスコンテンツに関連した２つのボタンを示す。
【発明を実施するための形態】
【００２２】
映画又はその他のＡＶコンテンツの配給のための交換可能な大容量記憶媒体は、図１において例えばＢｌｕ−ｒａｙディスク（ＢＤ）の場合について示されているように、ディレクトリ構造を用いる。共通のルートディレクトリ１の中には、ＢＤオーディオビジュアルデータＢＤＡＶのためのブランチ、すなわち、フォルダがあり、フォルダはプレイリスト２、クリップに関連した情報ＣＬＩＰＩＮＦ３、及び実際のＡＶストリームＳＴＲＥＡＭ４のためのサブフォルダを含んでいる。各サブフォルダは１つ又は複数のファイルを含んでいる。このタイプ又は他のタイプの高度な交換可能な記憶システムの場合、コンテンツは媒体上のマルチメディア娯楽素材から構成されているだけでなく、追加的な、いわゆるボーナスコンテンツをインターネット又は他の交換可能な記憶媒体からダウンロードし、それをローカル記憶装置、例えばハードディスクドライブ（ＨＤＤ）に記憶する、又は択一的に、プレゼンテーションの際にボーナスコンテンツをダウンロードすることも可能である。
【００２３】
図２は、ディスクのコンテンツに関連した追加又はボーナスデータのための付加的ブランチＤＯＷＮＬＯＡＤ５を備えた本発明による拡張型のプリレコードされたＢＤのディレクトリ構造を示している。ディスク作成時には、フォルダＤＯＷＮＬＯＡＤ５とそのサブフォルダの名前だけが決定される。これらのフォルダは空であってもよいし、予め決められた名前を有する空ファイルを含んでいてもよい。ダウンロードしたデータのためのファイルシステムブランチＤＯＷＮＬＯＡＤ５とそのサブフォルダＤｏｗｎＬｏａｄＡ、ＤｏｗｎＬｏａｄＢ、ＤｏｗｎＬｏａｄＮは、ディスクが記憶可能な部分を有しているならば、ディスク上にあってよい。また、それ以外の場合には、別個の記憶装置、例えばプレーヤー内のＨＤＤ上にあってよい。後者の場合には、特定のディスクのＤＯＷＮＬＯＡＤブランチは、このディスクが挿入され、再生可能になるとすぐに、ディスクファイルシステムに論理的に関連付けられる。簡素化のため、図面はプリレコードされたディスク上の元々のファイルシステム構造とダウンロードブランチを合併した図を示している。
【００２４】
有利には、本発明はＪａｖａＴＭ仮想マシンのような完全にプログラム可能な解決手段に比べて低コストの解決手段を提供する。本発明によれば、ボーナスコンテンツが使用可能になった、例えば、インターネットからダウンロードされたという条件の下で、不可視（インビジブル）のボタンを可視（ビジブル）のボタンに変換するには、非常に低水準のコードを実行するだけでよい。このようなコードは、例えばＪａｖａＴＭのような高水準プログラム言語又はＰＣのような完全プログラム可能な環境を必要としないが、ファームウェアコードに基づいた単純な状態機械でありうる。例えば「ＤｏｗｎＬｏａｄＡ有り」の状態を決定するのに必要な関数は、前記ディレクトリ内のファイル数を数えるディレクトリ読込みリクエストとして実現することができ、例えば１よりも大きな任意の数は、この特定のダウンロードが実際に存在していることを示す。いずれにしても、このようなディレクトリ読込みリクエストは通常はプレーヤーファームウェアの一部である。ダウンロードデータが存在している場合には、適切なプレースホルダが選択され、ボタンで置き換えられ、このボタンは上で説明したようにアクティブ化される。
【００２５】
本発明の別の利点は、ユーザの知覚にとって、ディスク上のメニューアイテムとダウンロードしたコンテンツとの間に差がないように、メニューをデザインすることができることである。再生できるようになった追加コンテンツ用の追加メニューアイテムは、プリレコードされたメニューにシームレスに統合することができる。
【００２６】
図３−６は、本発明の実施形態とそれがスクリーン上に如何に表示されるかを示している。ボーナスコンテンツが使用できない間は、オンラインメニューを備えたＴＶスクリーン上には、事前作成された元々のボタンＢ１，．．，Ｂ４だけが可視（ビジブル）である。これが図３に描かれている。しかし、使用できないボーナスコンテンツに関連したボタンに関しては、既にロケーションＢ５，．．，Ｂ７が定義されているが、実際のボーナスボタンは隠されている。明瞭性のために図３−８にはボーナスボタンが示されているものの、それらの形状又は位置はスクリーン上では見えていない。また、ボーナスコンテンツ用の第１のフォルダＤｏｗｎＬｏａｄＡを第１のボタンＢ５に、ボーナスコンテンツ用の第２のフォルダＤｏｗｎＬｏａｄＢを第２のボタンＢ６に、第３のフォルダＤｏｗｎＬｏａｄＮを第３のボタンＢ７に関連付けることにより、固定的な対応関係も存在している。
【００２７】
図４は、第１のボーナスコンテンツがインターネットからダウンロードされたとき、又は使用可能になったときの状態を示している。一例として、このボーナスコンテンツはディスク上の映画に関連した背景情報であってもよい。ボーナスコンテンツは属性を持つメニューデータから構成されている。この属性は、例えば、 “ＦｏｌｄｅｒＮａｍｅ”であり、値“ＤｏｗｎｌｏａｄＡ”を有している。したがって、このボーナスコンテンツに関連するすべてのファイルは“ＤｏｗｎｌｏａｄＡ”と名付けられたフォルダに格納されており、“ＤｏｗｎｌｏａｄＡ”は第１のボタンプレースホルダＢ５に関連付けられている。したがって、このボタンはアクティブ化され、可視（ビジブル）になっている。例えば、一般的なタイプのボーナスコンテンツがディスク作成時に知られている場合には、このボタンの位置、外見、又はその両方を予め決めてもよいし、或いは、ダウンロードしたデータに含まれているデータによって決定されるようにしてもよい。ボーナスデータセット、フォルダ、及び個々のボタンフォルダの間の別種の一意的リファレンスも可能である。例えば、ボーナスデータセットが、ボタンプレースホルダを直接指示する属性、又はフォルダのラベルにマッチするラベルを含んでいてもよいし、フォルダが優先順位を有し、その優先順位に従って使用されるようにしてもよい。
【００２８】
図５は、別の種類のボーナスコンテンツデータ、例えば、新しい映画のトレイラーがダウンロードされた状態を示している。このケースでは、ボーナスコンテンツに含まれている属性“ＦｏｌｄｅｒＮａｍｅ”は値“ＤｏｗｎｌｏａｄＢ”を有している。したがって、このボーナスコンテンツに関連するすべてのファイルＦｉｌｅ２１，．．，Ｆｉｌｅ２ｉは“ＤｏｗｎｌｏａｄＢ”と名付けられたフォルダに格納されており、“ＤｏｗｎｌｏａｄＢ”は第２のボタンプレースホルダＢ６に関連付けられている。したがって、このボタンはアクティブ化され、可視（ビジブル）になっており、その位置と外見は既に説明したように決定されている。
【００２９】
２つのケースの組み合わせが図６に示されている。両タイプのコンテンツは同時に使用でき、それぞれのフォルダＤｏｗｎＬｏａｄＡ，ＤｏｗｎＬｏａｄＢに格納されている。したがって、両方のボーナスボタンＢ５，Ｂ６とも可視（ビジブル）であり、アクティブ化されており、選択可能である。
【００３０】
図７は、ボーナスボタンＢ６の位置が既存のボタンの位置に一致しており、そのため既存のボタンが削除される一方で、ボーナスボタンＢ６は可視（ビジブル）であり、アクティブ化されているという状態を示している。例えば、ボーナスボタンを定義するデータは、ボタンのデフォルト位置に重ね書きする位置属性、又は他の既存ボタンのうちのどれに重ね書きするかを決定する属性を含んでいる。これは、プリレコードされたコンテンツが古くなった場合、例えば、ある映画のプリレコードされた広告トレイラーを新しい映画のダウンロードされた広告トレイラーで置き換える場合に、使用することができる。しかし、ダウンロードしたボーナスコンテンツは、他のボーナスコンテンツが書換可能な媒体に格納されており、かつ、この機能が許可される場合には、他のボーナスコンテンツで置き換えてもよい。ダウンロードしたコンテンツが削除されると、対応するメニューボタンは消滅し、再びプレースホルダが使用される。
【００３１】
さらに、ボーナスコンテンツの存在によって、例えば古くなったボタンである１つ又は複数の既存ボタンが削除されるように、メニューが変更されるようにしてもよい。これは図８に示されている。図８では、例えば、ＤｏｗｎＬｏａｄＡとＤｏｗｎＬｏａｄＢにおけるボーナスコンテンツデータが共存することにより、上記のように、２つのボタンＢ５及びＢ６の可視的（ビジブルな）表示とアクティブ化がなされ、その一方で既存のボタンの１つＢ３を非アクティブ化し、隠している。
【００３２】
本発明の利点は、ディスク作成時にこのようなメニューの作成者が将来的に１つ又は複数のボーナスコンテンツアイテムが存在することを予期して、追加ボーナスコンテンツアイテムの存在を示す関連づけられた１つ又は複数のボタンを持っていても持っていなくてもメニューが美観的に受け入れられるように、メニューの外見に関してメニューのグラフィカルレイアウトを調整することができることである。
【００３３】
本発明の１つの側面は、メニューレイアウト内の特定のボタンプレースホルダに関して、予め決められた名前を有する、あるファイル又は予め決められたフォルダ名を有するディスクファイルシステムのあるフォルダとの間の一意の関連付けが宣言されることである。例えば、上で説明したような、ある特定のフォルダＤｏｗｎＬｏａｄＡとある特定のボタンプレースホルダＢ５との間の一意の関連付けは、システム全体をデザインする際に、ダウンロードされたボーナスコンテンツアイテムは常に“ｒｏｏｔ／ＢＤＡＶ／ＤＯＷＮＬＯＡＤＳ／”のサブフォルダに格納されることをまず承認し、つぎにサブフォルダ、例えば、“ＤｏｗｎＬｏａｄＡ”を記述する文字列を、ボタン用のプレースホルダデータの一部にすることによって実現することができる。択一的に、サブフォルダを文字列で名付けるのではなく、単純に数え上げてもよい。その場合、所望の数字１，２，３…がプレースホルダの一部となる。
【００３４】
本発明の１つの実施形態では、ボタンプレースホルダは、このプレースホルダがどのダウンロードサブフォルダに関連付けられているのかということ、及び、ボタンがアクティブ化された後にボタンが押されたときにどのような動作を行うべきなのかということに関しての情報であるボタンロケーション情報から成っている。簡単な実施のために、それぞれのプレースホルダのロケーションに配置すべきボタンイメージのファイル名は、システムデザイン時に決定してもよい。例えば、これらのファイル名は常に“ＢｕｔｔｏｎＩｍａｇｅ．ｊｐｇ”と名付けられ、関連付けられたダウンロードフォルダ内に配置されると取り決めてもよい。すなわち、ＤｏｗｎｌｏａｄＡとＤｏｗｎｌｏａｄＢの場合には、これらのファイルはそれぞれ“ｒｏｏｔ／ＢＤＡＶ／Ｄｏｗｎｌｏａｄｓ／ＤｏｗｎｌｏａｄＡ／ＢｕｔｔｏｎＩｍａｇｅ．ｊｐｇ”と“ｒｏｏｔ／ＢＤＡＶ／Ｄｏｗｎｌｏａｄｓ／ＤｏｗｎｌｏａｄＢ／ＢｕｔｔｏｎＩｍａｇｅ．ｊｐｇ”である。一例として、ボタンをダウンロードしたボタンイメージに変更することによってボタンの不可視（インビジブル）のプレースホルダが可視（ビジブル）になる条件が、状態テーブルＴａｂ．１に列挙されている。２つのボタンＢ５及びＢ６の各々は、対応するラベルＤｏｗｎｌｏａｄＡ又はＤｏｗｎｌｏａｄＢを有するダウンロードデータが使用可能であるときにのみ可視（ビジブル）である。実際にイメージを読み、メニュー内に配置するプロセスは、プレーヤーファームウェアにより実行することができる。
【００３５】
【表１】
2011081811.tif 000002
Ｔａｂ．１：ボーナスボタンの使用条件の例
さらに、メニュー内のボタンは、リモコンユニットの“ＵＰ”、“ＤＯＷＮ”、“ＬＥＦＴ”、又は“ＲＩＧＨＴ”キーが押されたときに何が起こるのかの定義を必要とする。これはチェーニングと呼ばれる。あるロケーションにボタンではなくプレースホルダがある場合、ナビゲーション動作はこれを反映する。これは図３を参照して説明することができる。ボタンＢ５がプレースホルダとして存在しているだけで、不可視（インビジブル）であり、また非アクティブである場合、最後の正規のボタンＢ４が現在ハイライトされており、したがって選択されているならば、“ＤＯＷＮ”キーが押された後に選択される次のボタンは、不可視（インビジブル）の非アクティブボタンＢ５ではない。代わりに、次のボタンは、ユーザインタフェースのデザインに応じて、再び同じボタンＢ４であるか、又は、ユーザインタフェースにおいてより一般的であるように、第１のボタンＢ１である。図４に示されているように、ボーナスコンテンツアイテムが“ＤｏｗｎｌｏａｄＡ”というラベルを有するフォルダにダウンロードされる場合、−現在アクティブな−ボタンＢ５は、ボタンＢ４がハイライトされており、且つリモコンユニットで“ＤＯＷＮ”キーが押されたときに選択される。ナビゲーションのためのボタンチェーニングにおける必要な変更は、“ＤｏｗｎｌｏａｄＡ”が存在しているのか、それとも“ＤｏｗｎｌｏａｄＢ”が存在しているのか、それとも両方が存在しているのかに応じて為されなければならないが、その例がＴａｂ．２に示されている。例えば、ＤｏｗｎｌｏａｄＢ内のデータが存在している場合には、Ｔａｂ．２の第３のデータ行が関係する。ボタンＢ４が現在選択されており、リモコンユニットで“Ｄｏｗｎ”ボタンが押された場合には、第４列が関係する。したがって、次に選択されるボタンはＢ６である。
【００３６】
【表２】
2011081811.tif 000003
Ｔａｂ．２：“Ｕｐ”及び“Ｄｏｗｎ”コマンドに対するボタンのチェーニング  リモコンユニットで“ＬＥＦＴ”又は“ＲＩＧＨＴ”を押した場合のボタンチェーニングのための必要な変更は同じように行うことができるので、簡潔さのためにここでは省略する。
【００３７】
実施が非常に簡単であることが本発明の利点である。各ボタンプレースホルダは、後にアクティブ化される１つ１つのボタンのロケーションを決定し、どのような条件の下でそのボタンがアクティブ化されるかを記述している。先述と同様に、高水準プログラミングを必要とせずにフレキシビリティを高めるためには、ダウンロード情報の一部として、アクティブ化すべき新たなボタンのボタンイメージだけでなく、他の既存ボタンを隠し使用不能にすべきか否か及び新たなボタンのメニュー上でのロケーションはどうすべきかを決定する付加的なコンフィギュレーション情報も送ると有利である。それゆえ、ボーナスコンテンツアイテムをダウンロードすることにより、前記メニューのすべてのグラフィカル要素を実際にロードし直さずに、メニューのためのボタンのレイアウトを変更することが可能になる。
【００３８】
本発明の１つの実施形態では、ユーザに対してコンテンツ選択の選択肢を提示するメニューを構成するための本発明による方法は、交換可能な記憶媒体に記憶されたメニューデータ内でボタンの１つ又は複数のプレースホルダを定義し、特定のボーナスコンテンツアイテムとプレースホルダのうちの１つとの間に一意の関連付けを形成することができるように、後にダウンロードされるボーナスコンテンツアイテムに関して予め決められたロケーション又はネーミングの規約を決めるステップを有する。この関連付けは前記プレースホルダの属性として表され、ボーナスコンテンツアイテムをグラフィカルに表示し、かつボーナスコンテンツアイテムとともにダウンロードされるボタンイメージが提供される。さらに、プレースホルダに取って代わるそれぞれのボタンの配置と他の既存のボーナスボタンへのボタンのナビゲーションチェーニングとに関するコンフィギュレーション情報も提供される。このコンフィギュレーション情報はボーナスコンテンツアイテムとともにダウンロードされる。記憶媒体から取り出したコンテンツを再生している間、ボーナスコンテンツアイテムのうちのいずれかが別のデータソース、例えばＤＶＤに存在しているか否かを識別し、存在していれば、関連付けられたプレースホルダを関連付けられたボタンイメージで置き換える。その際、場合によっては、コンフィギュレーション情報に従ったボタンの再配置が含まれることもある。ダウンロードしたボタンコンフィギュレーションの適用によって、ボーナスコンテンツアイテムの一部としてダウンロードされた追加ボタンオブジェクトの挿入、及び／又は、以前にメニューで使用できたボタンオブジェクトの切り捨てがなされる。本発明による方法は、ボタンがユーザにより選択されたときに、関連付けられた動作を実行されるようにする。ここで、前記の動作、例えば、初めはディスク上に存在していなかったプレイリストである“ＢｏｎｕｓＡ”に対しての“ＰｌａｙＬｉｓｔ  ＢｏｎｕｓＡを再生せよ”は、既にプレースホルダとともに記述されているものであるか、又はダウンロードされたボーナスコンテンツアイテムの一部として記述され、ダウンロードされたボタンイメージとともにメニューに結び付けられたものである。
【００３９】
完全にプログラム可能な手法では、特定のボーナスコンテンツアイテムが作成される時にしか、このようなメニューデザインの選択をすることができないため、本発明は完全プログラム可能な手法のフレキシビリティを提供しないが、ユーザの観点からは類似した機能、すなわち、ダウンロードしたコンテンツの選択をディスク上のコンテンツの選択とともにシームレスに提示することを可能にすると同時に、格段に低コストで実施でき、しかもディスク作成者に外見上のデザイン選択の余地を残している。
【００４０】
本発明による記憶媒体は、ユーザにコンテンツ選択の選択肢を提示するためのメニューデータを格納しており、メニューデータ内には、１つ又は複数のボタンのための予め決められた１つ又は複数のプレースホルダが含まれている。さらに、後にダウンロードされるボーナスコンテンツアイテムに関する予め決められたロケーション又はネーミングの規約が存在しており、そのため特定のボーナスコンテンツアイテムとプレースホルダのうちの１つとの間に一意の関連付けを形成することができる。この関連付けはプレースホルダの属性として表される。ボーナスコンテンツアイテムをグラフィカルに表示するボタンイメージは実際のボーナスコンテンツとともにダウンロードしてもよい。
【００４１】
本発明の１つの実施形態では、再生装置はボーナスコンテンツアイテムのいずれかが存在することを確認すると、ボタンのプレースホルダを関連付けられたボタンイメージで置き換え、ボタンがユーザにより選択されたときに関連付けられた動作が行われるようにする。その動作は既にプレースホルダとともに記述されているものであるか、又はダウンロードされたボーナスコンテンツアイテムの一部として記述され、ダウンロードされたボタンイメージとともにメニューに関連付けられたものである。
【００４２】
ボタンのサイズ又はボタン間の距離は可視（ビジブル）ボタンの総数に応じて変化させてもよい。
【００４３】
本発明はすべてのタイプの記憶媒体のメニューに適用することができる。本発明は、Ｂｌｕ−ｒａｙディスクもしくはＤＶＤのようなプリレコードされた交換可能な媒体、ＨＤＤのような追加記憶容量へのアクセスを持った再生装置、又はインターネット接続の場合に特に有利である。
【図１】
2011081811.tif 000004
【図２】
2011081811.tif 000005
【図３】
2011081811.tif 000006
【図４】
2011081811.tif 000007
【図５】
2011081811.tif 000008
【図６】
2011081811.tif 000009
【図７】
2011081811.tif 000010
【図８】
2011081811.tif 000011
【手続補正書】
【提出日】平成22年12月9日(2010.12.9)
【手続補正１】
【補正対象書類名】特許請求の範囲
【補正対象項目名】全文
【補正方法】変更
【補正の内容】
【特許請求の範囲】
【請求項１】
オーディオビジュアルプレゼンテーションデータ及び関連するメニューデータを含んだ交換可能な電子記憶媒体であって、該記憶媒体は、メニューデータ内に
−  プレースホルダを指定するデータ部分、及び
−  プレースホルダに関連付けられた属性
を含んでおり、
前記データ部分は、プレースホルダは可視メニューアイテムの生成には使用できないことを示すものであり、
前記属性は、可視メニューアイテム生成のためにプレースホルダに取って代わるデータを取り出すべき別の記憶媒体上のロケーションを指定し、
メニューデータの第２の部分が第２の属性を含んでおり、前記プレースホルダ属性は該第２の属性と比較され、両方の属性がマッチした場合に、プレースホルダはメニューデータの第２の部分により定義された選択可能な可視のボタンで置き換えられる、ことを特徴とする交換可能な電子記憶媒体。
【外国語明細書】
2011081811000001.pdf